(57)【要約】【課題】逆浸透膜が微生物によって閉塞されるのを抑制することのできる逆浸透膜モジュールを得るとともに常時使用することのできる浄水システムを得る。【解決手段】逆浸透膜モジュール１は、袋状に形成された逆浸透膜１１と、当該逆浸透膜１１の内側に配置される透過水側スペーサ１２と、逆浸透膜１１の外側に配置される給水側スペーサ１３と、を有しており、この逆浸透膜モジュール１の給水側スペーサ１３に抗菌・抗カビ剤を配合することで、蛇口７を閉じたときに、給水側スペーサ１３に配合した抗菌・抗カビ剤が給水側スペーサ１３の配置内に残存した水に溶出するようにした。【選択図】図１
2011036752.tif 000002
【特許請求の範囲】
【請求項１】
袋状に形成された逆浸透膜と、当該逆浸透膜の内側に配置される透過水側スペーサと、前記逆浸透膜の外側に配置される給水側スペーサと、を有し、給水側スペーサに導入された供給水を透過水と濃縮水とに分離する逆浸透膜モジュールであって、
前記給水側スペーサに、抗菌・抗カビ剤を配合したことを特徴とする逆浸透膜モジュール。
【請求項２】
袋状に形成された逆浸透膜と、当該逆浸透膜の内側に配置される透過水側スペーサと、前記逆浸透膜の外側に配置される給水側スペーサと、を有し、給水側スペーサに導入された供給水を透過水と濃縮水とに分離する逆浸透膜モジュールであって、
前記給水側スペーサを透光性部材で形成するとともに、当該給水側スペーサに紫外線を照射するＵＶランプを設けたことを特徴とする逆浸透膜モジュール。
【請求項３】
前記透光性部材として光ファイバーを用いたことを特徴とする請求項２に記載の逆浸透膜モジュール。
【請求項４】
前記逆浸透膜モジュールは、前記逆浸透膜の内側に前記透過水側スペーサを配置するとともに当該逆浸透膜の外側に前記給水側スペーサを配置し、袋状となった逆浸透膜の開放側端部を集水管の内部と連通するように固定した状態で当該集水管の周りに巻き付けるとともに、最外周を防水性の膜によって水密に被覆し、前記集水管の一端側に、供給口を形成した第１の蓋体を取り付けるとともに、他端に、透過水吐出口および濃縮水吐出口を形成した第２の蓋体を取り付けることで形成されることを特徴とする請求項１〜３のうちいずれか１項に記載の逆浸透膜モジュール。
【請求項５】
請求項１〜４のうちいずれか１項に記載の逆浸透膜モジュールを組み込んだことを特徴とする浄水システム。
【発明の詳細な説明】
【技術分野】
【０００１】
本発明は、逆浸透膜モジュールおよびこれを組み込んだ浄水システムに関する。
【背景技術】
【０００２】
従来、浄水システムとして、原水タンクから送られる原水中の残留塩素を活性炭フィルタで除去した後、軟水化手段によって軟水化し、軟水化した原水を逆浸透膜モジュールで濾過して精製水を作り出し、作り出された精製水を精製水タンクに一旦貯留して、精製水タンクから取り出して使用するようにしたものが知られている（たとえば、特許文献１参照）。
【０００３】
この特許文献１では、浄水システムに、逆浸透膜モジュールおよび精製水タンクを洗浄・消毒する薬液タンクを設け、薬液により逆浸透膜モジュールを洗浄・消毒することで微生物を殺菌し、逆浸透膜が微生物によって閉塞されてしまうのを抑制している。
【先行技術文献】
【特許文献】
【０００４】
【特許文献１】特開２００４−８９５８号公報
【発明の概要】
【発明が解決しようとする課題】
【０００５】
しかしながら、かかる従来の浄水システムにあっては、薬液を使用した後に配管内を洗浄する必要があり、洗浄作業に多くの手間が掛かってしまう。また、薬液の使用時および使用後の洗浄時には浄水システムを休止する必要があるため、常時使用することができないという問題があった。
【０００６】
そこで、本発明は、逆浸透膜が微生物によって閉塞されるのを容易に抑制することのできる逆浸透膜モジュールを得るとともに常時使用することのできる浄水システムを得ることを目的とする。
【課題を解決するための手段】
【０００７】
請求項１の発明にあっては、袋状に形成された逆浸透膜と、当該逆浸透膜の内側に配置される透過水側スペーサと、前記逆浸透膜の外側に配置される給水側スペーサと、を有し、給水側スペーサに導入された供給水を透過水と濃縮水とに分離する逆浸透膜モジュールであって、前記給水側スペーサに、抗菌・抗カビ剤を配合したことを特徴とする。
【０００８】
請求項２の発明にあっては、袋状に形成された逆浸透膜と、当該逆浸透膜の内側に配置される透過水側スペーサと、前記逆浸透膜の外側に配置される給水側スペーサと、を有し、給水側スペーサに導入された供給水を透過水と濃縮水とに分離する逆浸透膜モジュールであって、前記給水側スペーサを透光性部材で形成するとともに、当該給水側スペーサに紫外線を照射するＵＶランプを設けたことを特徴とする。
【０００９】
請求項３の発明にあっては、請求項２に記載の逆浸透膜モジュールにおいて、前記透光性部材として光ファイバーを用いたことを特徴とする。
【００１０】
請求項４の発明にあっては、請求項１〜３のうちいずれか１項に記載の逆浸透膜モジュールにおいて、前記逆浸透膜モジュールは、前記逆浸透膜の内側に前記透過水側スペーサを配置するとともに当該逆浸透膜の外側に前記給水側スペーサを配置し、袋状となった逆浸透膜の開放側端部を集水管の内部と連通するように固定した状態で当該集水管の周りに巻き付けるとともに、最外周を防水性の膜によって水密に被覆し、前記集水管の一端側に、供給口を形成した第１の蓋体を取り付けるとともに、他端に、透過水吐出口および濃縮水吐出口を形成した第２の蓋体を取り付けることで形成されることを特徴とする。
【００１１】
請求項５の発明にあっては、請求項１〜３のうちいずれか１項に記載の逆浸透膜モジュールを浄水システムに組み込んだことを特徴とする。
【発明の効果】
【００１２】
請求項１の発明によれば、袋状となった逆浸透膜の外側に配置される給水側スペーサに抗菌・抗カビ剤を配合したので、逆浸透膜モジュール内で水が停滞した状態では、給水側スペーサに配合した抗菌・抗カビ剤が給水側スペーサの配置内に残存した水に溶出される。そして、溶出した抗菌・抗カビ剤によって給水側スペーサで微生物が繁殖するのが抑制されるとともに、給水側スペーサで繁殖した微生物を静菌できるようになる。そのため、逆浸透膜が微生物により閉塞されてしまうのを容易に抑制することができるようになる。
【００１３】
請求項２の発明によれば、袋状となった逆浸透膜の外側に配置される給水側スペーサを透光性部材で形成するとともに、当該給水側スペーサに紫外線を照射するＵＶランプを設けたため、ＵＶランプから照射された紫外線が給水側スペーサの透光性部材を通って給水側スペーサの広範囲に行き渡ることになる。その結果、給水側スペーサで繁殖した微生物を紫外線によって静菌でき、袋状となった逆浸透膜の外側に形成される給水側スペーサにおける微生物の繁殖を抑制することができる。そのため、逆浸透膜が微生物により閉塞されてしまうのを容易に抑制することができるようになる。
【００１４】
請求項３の発明によれば、透光性部材として光ファイバーを用いることで、ＵＶランプから照射された紫外線の透過率を高めることができるため、紫外線を給水側スペーサのより広範囲に行き渡らせることができ、給水側スペーサの静菌効率をより一層高めることができる。
【００１５】
請求項４の発明によれば、逆浸透膜の内側に透過水側スペーサを配置するとともに当該逆浸透膜の外側に給水側スペーサを配置し、袋状となった逆浸透膜の開放側端部を集水管の内部と連通するように固定した状態で当該集水管の周りに巻き付けるとともに、最外周を防水性の膜によって水密に被覆し、集水管の一端側に、供給口を形成した第１の蓋体を取り付けるとともに、他端に、透過水吐出口および濃縮水吐出口を形成した第２の蓋体を取り付けることで逆浸透膜モジュールを形成することで、逆浸透膜モジュールを浄水システムに容易に組み込むことができるようになる。
【００１６】
請求項５の発明によれば、常時使用することのできる浄水システムを得ることができる。
【図面の簡単な説明】
【００１７】
【図１】図１は、本発明の第１実施形態にかかる逆浸透膜モジュールの一部を破断して展開した斜視図である。
【図２】図２は、図１に示す逆浸透膜モジュールの要部の組み立て手順を（ａ）〜（ｃ）に順を追って示す斜視図である。
【図３】図３は、逆浸透膜モジュールが組み込まれる浄水システムの一例を示す全体構成図である。
【図４】図４は、本発明の第２実施形態にかかる逆浸透膜モジュールの一部を破断して展開した斜視図である。
【発明を実施するための形態】
【００１８】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００１９】
（第１実施形態）
本実施形態にかかる逆浸透膜モジュール１は、図３に示すように、原水から浄水を作り出す浄水システムＰに組み込まれている。
【００２０】
具体的には、本実施形態で用いる浄水システムＰは、主として家庭用の飲料水を浄化する装置として用いられるものであり、第１のプレフィルタ２Ａ、第１の活性炭フィルタ２Ｂおよび第２のプレフィルタ２Ｃからなる前処理装置２と、第１のプレフィルタ２Ａと第１の活性炭フィルタ２Ｂとの間に配置されるポンプ３と、前記逆浸透膜モジュール１と、浄水タンク４と、第２の活性炭フィルタ５と、を備えている。
【００２１】
そして、配管Ｐａを介して浄水システムＰに導入される水道水（原水）は、第１のプレフィルタ２Ａ（約５ｕｍ）で粗ゴミが除去された後、ポンプ３で加圧されて第１の活性炭フィルタ２Ｂに送られ、ここで残留塩素が除去されるとともに、次の第２のプレフィルタ２Ｃ（約１ｕｍ）で微粒子が除去されて原水の前処理が行われる。
【００２２】
前処理が完了した供給水は、開閉弁６の一次側流路６ａから逆浸透膜モジュール１の給水口１ａに供給され、逆浸透膜モジュール１で濾過された透過水（浄水）は透過水吐出口１ｂから開閉弁６の二次側流路６ｂを介して配管Ｐｂに送給される。配管Ｐｂは、浄水タンク４に通ずる経路と、第２の活性炭フィルタ５および蛇口７に通ずる経路と、に分岐しており、逆浸透膜モジュール１で処理された浄水は、浄水タンク４に給水されるとともに第２の活性炭フィルタ５を通過して蛇口７から給水されるようになっている。一方、逆浸透膜モジュール１で濾過されなかった濃縮水は、濃縮水吐出口１ｃから配管Ｐｃを介して排出される。
【００２３】
また、配管Ｐｂには圧力スイッチ８が設けられると共に、開閉弁６の二次側流路６ｂに逆止弁９が設けられており、配管Ｐｃには絞り弁１０が設けられている。
【００２４】
そして、かかる構成とすることで浄水システムＰは以下のように動作する。
【００２５】
まず、蛇口７を閉めると、配管Ｐｂ内の浄水が浄水タンク４に給水されると同時に経路内の水圧が上昇し、一定の水圧に達すると圧力スイッチ８が検知してポンプ３が停止する。このようにポンプ３が停止すると、開閉弁６の二次側流路６ｂは逆止弁９により高圧が保持されるが、一次側流路６ａの水圧は濃縮水を排出する配管Ｐｃへと排出されるため水圧が徐々に低下する。そして、開閉弁６の二次側流路６ｂと一次側流路６ａとの圧力差が所定値に達すると、開閉弁６の内部に設けられた弁が二次側流路６ｂの圧力で押されて一次側流路６ａを遮断する。
【００２６】
次に、蛇口７を開けると、浄水タンク４内に溜められた水が供給されることにより、開閉弁６の二次側流路６ｂおよび配管Ｐｂ内の水圧が下降し、その圧力が一定の水圧よりも下がると圧力スイッチ８がこれを検知してポンプ３が作動する。また、二次側流路６ｂの圧力が低下することにより、開閉弁６が一側流路６ａを開き、前処理装置２を経由した供給水が逆浸透膜モジュール１の給水口１ａに供給され、透過水吐出口１ｂから吐出される浄水が二次側流路６ｂおよび配管Ｐｂを介して蛇口７から給水される。このように、蛇口７を開・閉することでポンプ３が作動・停止するように浄水システムＰを構成することで、浄水システムＰが常に浄水供給可能な態勢となるようにしている。
【００２７】
ここで、逆浸透膜モジュール１は、図１に示すように構成されている。すなわち、逆浸透膜モジュール１は、逆浸透膜１１によって水を濾過するようになっており、この逆浸透膜１１としては、一般に知られるＲＯ膜（Reverse Osmosis Menbrane）やナノフィルターと称されるＮＦ膜（Nanofiltration Membrane）などを用いることができる。なお、逆浸透膜１１は、水を透過しイオンや塩類などの水以外の不純物を透過しない性質を有する膜であればよく、ＲＯ膜、ＮＦ膜に限られるものではない。
【００２８】
本実施形態では、逆浸透膜モジュール１は、逆浸透膜１１を巻回した状態で用いられるようになっている。具体的には、逆浸透膜１１は、巻回される中心側のみが開放される袋状に形成されており、袋状となった逆浸透膜１１の内側に網状の透過水側スペーサ１２が配置されるとともに、袋状となった逆浸透膜１１の外側に網状の給水側スペーサ１３が配置されている。そして、逆浸透膜１１は、当該逆浸透膜１１の開放側端部が中心に配置した集水管１４の内部と連通するように、当該集水管１４に接着固定されている。このとき、図１に示すように、逆浸透膜１１、透過水側スペーサ１２および給水側スペーサ１３は、それらが交互に積層されるようになっている。
【００２９】
そして、透過水側スペーサ１２および給水側スペーサ１３を配置した逆浸透膜１１を集水管１４に巻き付けた全体の最外周を防水性の膜１５によって水密に被覆している。
【００３０】
ここで、図２に基づいて、逆浸透膜モジュール１の製造方法の概略を説明する。図２（ａ）〜（ｃ）は、逆浸透膜１１、透過水側スペーサ１２および給水側スペーサ１３を集水管１４の周りに巻き付ける工程を示している。
【００３１】
まず、図２（ａ）に示すように、帯状に形成した２枚の逆浸透膜１１の間に透過水側スペーサ１２を挟んだ状態で、２枚の逆浸透膜１１の集水管１４側を除いた３辺の周縁部どうしを接着剤Ａで袋状に貼り合わせ、図２（ｂ）に示すように、２枚の逆浸透膜１１および透過水側スペーサ１２をプレスする。
【００３２】
一方、図２（ａ）に示すように、集水管１４の外周には、袋状に形成した逆浸透膜１１の開放側を挿入するスリット１４ａを集水管１４の軸方向に形成しておき、図２（ｂ）に示すように、スリット１４ａにプレスした逆浸透膜１１および透過水側スペーサ１２の開放側端部を嵌め込んで接着する。
【００３３】
そして、図２（ｃ）に示すように、袋状となった逆浸透膜１１の外側に給水側スペーサ１３を添えて、これらを集水管１４の周りに巻き付ける。その後、上述した防水性の膜１５（図１参照）で最外周を水密に被覆する。なお、図２では、１組の逆浸透膜１１、透過水側スペーサ１２および給水側スペーサ１３を示したが、図１に示すように、それらを複数組設けて巻き付けるようにしてもよい。
【００３４】
このように、逆浸透膜１１、透過水側スペーサ１２および給水側スペーサ１３を巻回して防水性の膜１５で被覆することで、逆浸透膜モジュール１は、図１に示すように、全体として集水管１４を中心とする円柱状に形成される。
【００３５】
そして、集水管１４の一端（図１中手前側）には、供給口１ａを形成した第１の蓋体１６が取り付けられるとともに、他端（図１中奥側）には、透過水吐出口１ｂおよび濃縮水吐出口１ｃを形成した第２の蓋体１７が取り付けられる。
【００３６】
第１の蓋体１６は、中心部に集水管１４の一端を閉塞する閉塞部１６ａが形成されるとともに、供給口１ａが閉塞部１６ａを中心として放射状に形成されている。このように、供給口１ａを放射状に形成することで、給水側スペーサ１３の一端側の全周が供給口１ａに連通されるようにしている。
【００３７】
第２の蓋体１７は、中心部に集水管１４の他端に連通する透過水吐出口１ｂが形成されるとともに、その透過水吐出口１ｂを中心として濃縮水吐出口１ｃが放射状に形成されている。このように、濃縮水吐出口１ｃを放射状に形成することで、給水側スペーサ１３の他端側の全周が濃縮水吐出口１ｃに連通されるようにしている。
【００３８】
かかる構成とした逆浸透膜モジュール１の機能は、以下のとおりである。
【００３９】
まず、前処理装置２で前処理された供給水が供給口１ａから導入されると、当該供給水は一定の圧力をもって給水側スペーサ１３の一端側全周に供給された後、給水側スペーサ１３を伝って濃縮水吐出口１ｃ方向へと移動する。この給水側スペーサ１３を伝って供給水が移動する間に、供給水中の不純物を除く水が逆浸透膜１１を透過する。すると、逆浸透膜１１を透過した透過水（浄水）は袋状となった逆浸透膜１１内の透過水側スペーサ１２を伝って集水管１４内に集められ、集水管１４の内側を移動して透過水吐出口１ｂから吐出される。一方、逆浸透膜１１を透過しなかった不純物を含む濃縮水は、給水側スペーサ１３を伝って濃縮水吐出口１ｃから排出される。なお、透過水側スペーサ１２および給水側スペーサ１３は、巻回された逆浸透膜１１間に隙間を形成して流路を確保するために設けるものである。
【００４０】
ここで、本実施形態では、供給口１ａから供給水が導入される給水側スペーサ１３に、抗菌・抗カビ剤を配合している。具体的には、給水側スペーサ１３は、銀や銅などの抗菌性金属、または、抗カビ剤（ＴＢＺ）を練り込んだポリエステル、ポリプロピレンなどの材料を用いて、網状に形成されている。一方、透水側スペーサ１２は、抗菌・抗カビ剤を含有しないポリエステルなどの材料で網状に形成されている。
【００４１】
このように、給水側スペーサ１３に、抗菌・抗カビ剤を配合することで、蛇口７を閉めて浄水システムＰの経路内の水の流れが停滞した状態のときに、給水側スペーサ１３に練り込んだ抗菌・抗カビ剤が、給水側スペーサ１３の配置内に残存した水に溶出することになる。
【００４２】
以上、説明したように、本実施形態の逆浸透膜モジュール１によれば、袋状となった逆浸透膜１１の外側に配置される網状の給水側スペーサ１３に抗菌・抗カビ剤を配合したため、逆浸透膜モジュール１内で水が停滞した状態、つまり、蛇口７を閉じた状態では、給水側スペーサ１３に配合した抗菌・抗カビ剤が給水側スペーサ１３の配置内に残存した水に溶出される。そして、溶出した抗菌・抗カビ剤によって給水側スペーサ１３で微生物が繁殖するのが抑制されるとともに、給水側スペーサ１３で繁殖した微生物を静菌できるようになる。そのため、逆浸透膜１１が微生物により閉塞されてしまうのを容易に抑制することができるようになる。
【００４３】
また、抗菌・抗カビ剤は逆浸透膜１１を透過しないため、抗菌・抗カビ剤が浄水に混入されるのを避けることができ、給水直後であっても捨て水をすること無く直ちに使用できるため、水が無駄になるのを防止することができる。
【００４４】
また、本実施形態によれば、逆浸透膜１１の内側に透過水側スペーサ１２を配置するとともに当該逆浸透膜１１の外側に給水側スペーサ１３を配置し、袋状となった逆浸透膜１１の開放側端部を集水管１４の内部と連通するように固定した状態で当該集水管１４の周りに巻き付けるとともに、最外周を防水性の膜１５によって水密に被覆し、集水管１４の一端側に、供給口１ａを形成した第１の蓋体１６を取り付けるとともに、他端に、透過水吐出口１ｂおよび濃縮水吐出口１ｃを形成した第２の蓋体１７を取り付けることで逆浸透膜モジュール１を形成しているため、逆浸透膜モジュール１を円柱状にすることができ、浄水システムＰに容易に組み込むことができるようになる。
【００４５】
また、本実施形態にかかる逆浸透膜モジュール１を浄水システムＰに組み込めば、薬液等を用いて逆浸透膜モジュール１を洗浄する必要がなくなり、常時使用することのできる浄水システムＰを得ることができる。
【００４６】
ところで、従来では給水側のスペーサに抗菌剤が使用されていないが、その主な理由としては、逆浸透膜の材料として一般には合成膜の芳香族ポリアミドが用いられていることがあげられる。この芳香族ポリアミドは高濃度の塩素化合物や酸化剤に弱く材料劣化する虞があるためである。また、逆浸透膜は一般的に産業用で使用されることが多いため、スペーサに抗菌剤を配合するコストよりも定期的に洗浄する方が安いということも一因としてあげることができる。
【００４７】
なお、抗菌・抗カビ剤としては、非酸化系で比較的低濃度で作用する銀系抗菌剤および抗カビ剤（ＴＢＺ）を用いることが好ましく、それらを給水側スペーサ１３に含有させることにより、薬剤洗浄のメンテナンスを不要としつつ細菌繁殖による逆浸透膜１１の閉塞による性能低下を抑制することができる。また、浄水システムは、家庭用の浄水システムＰとしてだけでなく、工業用の浄水システムとしても用いることができる。
【００４８】
（第２実施形態）
本実施形態にかかる逆浸透膜モジュール１Ａは、図４に示すように、基本的に上記第１実施形態の逆浸透膜モジュール１と同様に、袋状に形成されて巻回される逆浸透膜１１と、袋状となった逆浸透膜１１の内側に配置される網状の透過水側スペーサ１２と、袋状となった逆浸透膜１１の外側に配置される網状の給水側スペーサ１３と、を有している。そして、給水側スペーサ１３から供給される供給水が逆浸透膜１１を透過することで生成される透過水は、透過水側スペーサ１２を伝って透過水吐出口１ｂへと導かれる一方、逆浸透膜１１を透過しない供給水は、濃縮水となって濃縮水吐出口１ｃへと導かれる。
【００４９】
ここで、本実施形態が上記第１実施形態と主に異なる点は、給水側スペーサ１３を透光性部材で形成するとともに、その給水側スペーサ１３に紫外線を照射するＵＶランプ２０を設けたことにある。さらに、本実施形態では、透光性部材として光ファイバーを用いている。
【００５０】
本実施形態では、ＵＶランプ２０は、紫外線が光ファイバーで形成された給水側スペーサ１３に照射されるように配置されている。たとえば、巻回されたそれぞれの給水側スペーサ１３に接するようにＵＶランプ２０を１つまたは複数設け、当該ＵＶランプ２０を給水側スペーサ１３と一緒に巻き込むことで、紫外線が光ファイバーで形成された給水側スペーサ１３に照射されるように配置する。このとき、ＵＶランプ２０の端子２０ａ、２０ｂが第１の蓋体１６の給水口１ａから突出されるようになっており、それら端子２０ａ、２０ｂと各ＵＶランプ２０とが電気的に接続されている。
【００５１】
このように、ＵＶランプ２０を、巻回されたそれぞれの給水側スペーサ１３に接するように配置するとともに、給水側スペーサ１３を透光性部材である光ファイバーで形成することで、ＵＶランプ２０の紫外線を、巻回された給水側スペーサ１３の光ファイバーを通って広範囲に行き渡らせることができるようになる。
【００５２】
以上の本実施形態によっても、上記第１実施形態と同様の作用、効果を奏することができる。
【００５３】
また、本実施形態によれば、袋状となった逆浸透膜１１の外側に配置される網状の給水側スペーサ１３を透光性部材で形成するとともに、給水側スペーサ１３に紫外線を照射するＵＶランプ２０を設けたため、ＵＶランプ２０から照射された紫外線が給水側スペーサ１３の光ファイバー（透光性部材）を通って給水側スペーサ１３の広範囲に行き渡ることになる。その結果、給水側スペーサ１３で繁殖した微生物を紫外線によって静菌でき、袋状となった逆浸透膜１１の外側に形成される給水側スペーサ１３における微生物の繁殖を抑制することができる。そのため、逆浸透膜１１が微生物により閉塞されてしまうのを容易に抑制することができるようになる。
【００５４】
また、本実施形態によれば、透光性部材として光ファイバーを用いることで、ＵＶランプ２０から照射された紫外線の透過率を高めることができるため、紫外線を給水側スペーサ１３のより広範囲に行き渡らせることができ、給水側スペーサ１３の静菌効率をより一層高めることができる。
【００５５】
以上、本発明の好適な実施形態について説明したが、本発明は上記実施形態には限定されず、種々の変形が可能である。たとえば、上記第１および第２実施形態にかかる逆浸透膜モジュールを、その他の浄水システムに組み込むことも可能である。
【符号の説明】
【００５６】
１、１Ａ  逆浸透膜モジュール
１ａ  給水口
１ｂ  透過水吐出口
１ｃ  濃縮水吐出口
１２  透過水側スペーサ
１３  給水側スペーサ
２０  ＵＶランプ
Ｐ  浄水システム
【図１】
2011036752.tif 000003
【図２】
2011036752.tif 000004
【図３】
2011036752.tif 000005
【図４】
2011036752.tif 000006